(57)【要約】【課題】    ボトルを保持する為の十分な挟持力を得る為に強化された挟持部では、挟持部の十分なストローク量が確保しにくくボトルの直径の違いに対応しにくい。また対応させようとすると機構が大げさになり軽量化が難しくなってくる。また、挟持部をシンプルな形状にして軽量化を図ると、ボトルを誘導する為の形状が簡略化又は省略されることが多く、自転車レース等の一刻を争う場面で素早くボトルを挿脱しにくくなってしまう。【解決手段】  幅方向の一端部にボトル（２６）を誘導する入口側縁部（３）と、長さ方向の一端部（７）に接続され、且つ前記幅方向の中間部に配置され、且つ前記長さ方向の一端部（７）から他端部（９）に向かう方向に伸びる揺動片（１１）と、を備える挟持部（１３）を用いる。【選択図】              図１
2007302241.tif 000002
【特許請求の範囲】
【請求項１】
円筒形状のボトルを収容可能なボトルケージであって、
自転車に取り付け可能な基礎部と、
幅方向の一端部に前記ボトルを誘導する入口側縁部と、長さ方向の一端部に接続され、且つ前記幅方向の中間部に配置され、且つ前記長さ方向の一端部から他端部に向かう方向に伸びる揺動片と、を備え、前記長さ方向の他端部が前記基礎部に接続され、且つ前記長さ方向の中間部が湾曲した挟持部と、
前記ボトルの外周部に前記挟持部の内周部が沿うように前記ボトルを収容した状態で前記ボトルの底部を係止する係止部と、
を具備し、
前記ボトルを収容していない状態で前記幅方向に見た図において前記揺動片の少なくとも一部が前記入口側縁部の内周部よりも内側に配置される、
自転車用ボトルケージ。
【請求項２】
前記挟持部は、前記幅方向の他端部に底側縁部を備え、
前記揺動片は、前記入口側縁部及び底側縁部の間に配置される、
請求項１に記載の自転車用ボトルケージ。
【請求項３】
前記揺動片は、前記長さ方向の一端部を中心に前記入口側縁部に対して揺動可能である、
請求項１から請求項２のいずれかに記載の自転車用ボトルケージ。
【請求項４】
前記基礎部は、自転車フレームに沿うように取り付け可能である、
請求項１から請求項３のいずれかに記載の自転車用ボトルケージ。
【発明の詳細な説明】
【技術分野】
【０００１】
本発明は、ボトルを収容可能な自転車用ボトルケージに関する。
【背景技術】
【０００２】
自転車用ボトルケージにおいては、特許文献１のように自転車フレームのダウンチューブに設けられた二つのネジ穴部にネジ止めされる案や、特許文献２のようにシートチューブに設けられた二つのネジ穴部にネジ止めされる案が知られている。
また、自転車フレームのヘッドチューブに二つのネジ穴部が設けられている場合もある。
また、自転車のハンドルバー、シートレール又はシートポストをクランプして取り付けられる案が知られている。
また、近年は自転車の軽量化が進み、自転車に設置される自転車用ボトルケージにおいても十数グラムの軽量ボトルケージが販売されている。
また、ペットボトルや自転車専用ボトル等の直径の違いに対応する為に基礎部及び挟持部の距離を調整可能なスライド機構を備え、基礎部及び挟持部の間でボトルを挟持可能なものが販売されている。
また、自転車用ボトルケージは自身の素材の弾力性を利用して収容されるボトルを安定して保持する挟持部を有しているものが多い
【０００３】
また、特許文献３のように二つの湾曲した挟持部の内周部をボトルの外周部に沿わせるようにしてボトルを挟持可能な案が知られている。
【０００４】
【特許文献１】実開平０５−０８６７８４号公報
【特許文献２】特開平０７−２９１１６７号公報
【特許文献３】実登３１２２７７６号公報
【発明の開示】
【発明が解決しようとする課題】
【０００５】
ボトルを保持する為の十分な挟持力を得る為に強化された挟持部では、挟持部の十分なストローク量が確保しにくくボトルの直径の違いに対応しにくい。また対応させようとすると機構が大げさになり軽量化が難しくなってくる。
また、挟持部をシンプルな形状にして軽量化を図ると、ボトルを誘導する為の形状が簡略化又は省略されることが多く、自転車レース等の一刻を争う場面で素早くボトルを挿脱しにくくなってしまう。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る自転車用ボトルケージは、例えば図１から３の組み、図４及び５の組み、のいずれかの組みを用いて説明すると、
円筒形状のボトル２６を収容可能なボトルケージ１であって、
自転車に取り付け可能な基礎部２と、
幅方向の一端部にボトル２６を誘導する入口側縁部３と、長さ方向の一端部７に接続され、且つ前記幅方向の中間部に配置され、且つ前記長さ方向の一端部７から他端部９に向かう方向に伸びる揺動片１１と、を備え、前記長さ方向の他端部９が基礎部２に接続され、且つ前記長さ方向の中間部が湾曲した挟持部１３と、
ボトル２６の外周部２７に挟持部１３の内周部１５が沿うようにボトル２６を収容した例えば図３又は５のような状態でボトル２６の底部２９を係止する係止部１９と、
を具備し、
ボトル２６を収容していない例えば図１又は４のような状態で前記幅方向に見た例えば図１又は４の左図において揺動片１１の少なくとも一部が入口側縁部３の内周部１７よりも内側に配置される、
自転車用ボトルケージである。
【０００８】
発明２に係る自転車用ボトルケージは、発明１の自転車用ボトルケージにおいて、
挟持部１３は、前記幅方向の他端部に底側縁部５を備え、
揺動片１１は、入口側縁部３及び底側縁部５の間に配置される、
自転車用ボトルケージである。
【０００９】
発明３に係る自転車用ボトルケージは、発明１から２のいずれかの自転車用ボトルケージにおいて、
揺動片１１は、前記長さ方向の一端部７を中心に入口側縁部３に対して揺動可能である、
自転車用ボトルケージである。
【００１０】
発明４に係る自転車用ボトルケージは、発明１から３のいずれかの自転車用ボトルケージにおいて、
基礎部２は、自転車フレームに沿うように取り付け可能である、
自転車用ボトルケージである。
【発明の効果】
【００１１】
以上のように本発明では、比較的頑丈にされた入口側縁部３がボトル２６を誘導し、挟持部１３の幅方向の中間部で守られるように且つ一端部７を中心とする揺動のストローク量を十分に確保された揺動片１１がボトル２６の直径の違いに対応するように構成しても、シンプル且つ軽量な構成を維持しやすく、且つ他端部９を中心とする入口側縁部３の揺動に揺動片１１が追従するので内周部１７よりも内側に揺動片１１が出る量が安定し、ボトル２６を乱暴に挿入しても底部２９に揺動片１１が引っかかりにくくスムーズな挿脱が可能な構成を実現しやすい。
【発明を実施するための最良の形態】
【００１２】
〔第１実施形態〕
図１から３において、棒状の基礎部２の中間部には貫通穴２４及び２５が開けられており、基礎部２の長手方向に沿うように基礎部２の外面３０に形成された溝形状に自転車フレームのダウンチューブ外周を嵌めてから貫通穴２４及び２５をそれぞれ貫通する二本のボルトによってダウンチューブ外周に設けられた二つのネジ穴部にネジ止めすることが出来る。また基礎部２の内面２３の一端部及び他端部からそれぞれ立ち上がるように係止部２０及び１９が形成されている。
また、基礎部２の一側面の一端部及び他端部からそれぞれ伸びる帯状の入口側縁部３及び底側縁部５は挟持部１３の一端部７で接続されており、一端部７から折り返すように帯状の揺動片１１が形成されている。
また、基礎部２の他側面の一端部及び他端部からそれぞれ伸びる帯状の入口側縁部４及び底側縁部６は挟持部１４の一端部８で接続されている。
また、上記のような構成は、ナイロン等の樹脂、アルミ等の金属板又はカーボンファイバーシート等を素材として一体成形するのが理想的だが、別体成形であっても良い。
【００１３】
また図２のように、入口側縁部３の内周部１７及び底側縁部５の内周部２１はいずれも僅かにテーパー状になっており、揺動片１１に対してスムーズにボトル２６を誘導するようになっている。
【００１４】
また図３のように、収容されたボトル２６は挟持部１３、挟持部１４及び基礎部２内面２３に挟まれるように保持されている。このとき挟持部１３及び１４はボトル２６の外周部２７に押し広げられてそれぞれ他端部９及び１０を中心に外側に揺動し素材の弾力性による付勢力が発生してボトル２６を挟持しており、また揺動片１１の先端部は外周部２７に当接して挟持部１３の一端部７を中心に外側に揺動し素材の弾力性による付勢力が発生してボトル２６を押圧している。またボトル２６の底部２９は係止部１９の内面に当接し、ボトル２６は係止部１９及び２０に挟まれている。
【００１５】
〔第２実施形態〕
第２実施形態は、第１実施形態の自転車用ボトルケージを小変更したものであり、変更部分について記載する。
図４及び５において、揺動片１１を備える挟持部１３に対して挟持部１４は鏡像関係にある。
【００１６】
また図５において、揺動片１２の先端部は外周部２７に当接して挟持部１４の一端部８を中心に外側に揺動し素材の弾力性による付勢力が発生してボトル２６を押圧している。
【００１７】
〔第３実施形態〕
第３実施形態は、第２実施形態の自転車用ボトルケージを小変更したものであり、変更部分について記載する。
図６において、揺動片１１及び１２の先端部にはそれぞれ揺動片１１及び１２の一部としてフッ素樹脂等の自己潤滑性を有する素材を球状にした当接部３１及び３２が設置されている。
【００１８】
〔第４実施形態〕
第４実施形態は、第２実施形態の自転車用ボトルケージを小変更したものであり、変更部分について記載する。
図７において、揺動片１１及び１２の先端部からそれぞれ挟持部１３及び１４の一端部７及び８に向かう方向に揺動片１１及び１２の一部として帯状の当接部３３及び３４が伸びている。
【００１９】
〔第５実施形態〕
第５実施形態は、第１実施形態の自転車用ボトルケージを小変更したものであり、変更部分について記載する。
図８において、図１のような挟持部１４は無く、長さ方向に延長された挟持部１３の内周部１５がボトル２６の外周部２７に巻きつくようにして基礎部２内面２３及び挟持部１３内周部１５によって挟持し、ボトル２６を保持可能である。
【００２０】
〔その他の実施形態〕
第１から第５実施形態において、例えば底側縁部５に係止部１９を設置する構成が考えられる。
【００２１】
第１から第５実施形態において、ダウンチューブ以外に設けられた二つのネジ穴部に基礎部２をネジ止めしても良いし、このように基礎部２が２ヶ所で固定される場合は基礎部２の２ヶ所の間を例えば特許文献３の実施例のように直接接続しないような構成が考えられる。
【００２２】
第１から第５実施形態において、基礎部２をネジ止めする替わりに、ハンドルバー等の棒状部に巻き止められる構造を基礎部２に設けるような構成が考えられる。
【００２３】
第１から第５実施形態において、金属棒の曲げ加工によってボトルケージ１の輪郭をなぞるような成形方法による構成が考えられる。
【図面の簡単な説明】
【００２４】
【図１】ボトル２６を収容していない第１実施形態を第三角法で表した図
【図２】図１の線分Ａ−Ａ断面図
【図３】ボトル２６を収容した第１実施形態を第三角法で表した図
【図４】ボトル２６を収容していない第２実施形態を第三角法で表した図
【図５】ボトル２６を収容した第２実施形態を第三角法で表した図
【図６】ボトル２６を収容していない第３実施形態を第三角法で表した図
【図７】ボトル２６を収容していない第４実施形態を第三角法で表した図
【図８】ボトル２６を収容していない第５実施形態を第三角法で表した図
【符号の説明】
【００２５】
１.                                      ボトルケージ
２.                                      基礎部
３,４.                                 入口側縁部
５,６.                                 底側縁部
７,８.                                 一端部
９,１０.               他端部
１１,１２.                          揺動片
１３,１４.                          挟持部
１５,１６,１７,１８,
２１,２２.                          内周部
２３.                                  内面
２４,２５.                          貫通穴
２６.                                  ボトル
２７.                                  外周部
２８.                                  蓋
２９.                                  底部
３０.                                  外面
３１,３２,３３,３４.         当接部
【図１】
2007302241.tif 000003
【図２】
2007302241.tif 000004
【図３】
2007302241.tif 000005
【図４】
2007302241.tif 000006
【図５】
2007302241.tif 000007
【図６】
2007302241.tif 000008
【図７】
2007302241.tif 000009
【図８】
2007302241.tif 000010